(57)【要約】【課題】高温の膨張水が排水口やトラップに排出されることを抑制できる貯湯式温水器を提供する。【解決手段】本発明の貯湯式温水器（１）は、給水管から供給された水を加熱して貯湯するタンク（３）と、膨張水排出弁（７０）を備え、前記膨張水排出弁が開弁することにより前記タンク内で生じる膨張水を排出する膨張水排水管（８）と、前記膨張水排出弁の下流側に設けられ、前記膨張水排水管内の水圧が所定値以上で最大量開弁し、前記水圧が小さくなるにつれて弁開度が小さくなる弁部と、を備えることを特徴とする。【選択図】図２
2018040526.tif 000002
【特許請求の範囲】
【請求項１】
給水管から供給された水を加熱して貯湯するタンクと、
膨張水排出弁を備え、前記膨張水排出弁が開弁することにより前記タンク内で生じる膨張水を排出する膨張水排水管と、
前記膨張水排出弁の下流側に設けられ、前記膨張水排水管内の水圧が所定値以上で最大量開弁し、前記水圧が小さくなるにつれて弁開度が小さくなる弁部と、
を備えることを特徴とする貯湯式温水器。
【請求項２】
電磁弁を有し、前記タンク内に生じるエアを抜くエア抜き管を備え、前記エア抜き管は、前記電磁弁よりも下流側において前記弁部の上流側の前記膨張水排水管に接続されている
請求項１に記載の貯湯式温水器。
【請求項３】
前記弁部は、上流側の前記膨張水排水管内の水圧が所定値以下の時に閉弁して止水する
請求項１または請求項２に記載の貯湯式温水器。
【請求項４】
前記弁部は、前記膨張水が排出される排水口に設けられている
請求項１から請求項３のいずれか一項に記載の貯湯式温水器。
【発明の詳細な説明】
【技術分野】
【０００１】
本発明は、貯湯式温水器に関する。
【背景技術】
【０００２】
従来、加熱手段を備えるタンク内において、供給された水を加熱して貯湯し、貯えられた湯を供給して蛇口から出湯させる密閉型給湯器が知られている（例えば、特許文献１）。このような密閉型給湯器では、貯湯タンク内で水を沸かす際に、水の体積が膨張することで貯湯タンク内の内圧が上昇する。そこで、貯湯タンク内の内圧が一定圧力を越えた場合に、膨張水を自動的に放出する管路が設けられている。特許文献１の密閉型給湯器では、膨張水を放出する管路に冷却水配管を合流させることで高温の膨張水を冷却している。
【先行技術文献】
【特許文献】
【０００３】
【特許文献１】特許第４６８８０５４号公報
【発明の概要】
【発明が解決しようとする課題】
【０００４】
特許文献１の貯湯式温水器では、高温の膨張水が発生することを避けるために、膨張水供給管の表面にサーモスタットを設け、膨張水供給管の温度が高温の場合に強制開弁する制御が行われる。特許文献１の貯湯式温水器では、冷却水の導入管及びサーモスタットによる制御が必要となり、装置が複雑となる。一方、その他従来の貯湯式温水器では、逃し弁により膨張水を排出する構成が一般的であるが、その場合には冷却水を合流させる方法がとりづらいため、高温の膨張水が排出される可能性がある。高温の膨張水が排出されると、排出先の排水管やトラップへのダメージが懸念される。
【０００５】
上記事情を踏まえ、本発明は、高温の膨張水が排水管やトラップに排出されることを抑制できる貯湯式温水器を提供することを目的とする。
【課題を解決するための手段】
【０００６】
本発明に係る貯湯式温水器は、給水管から供給された水を加熱して貯湯するタンクと、膨張水排出弁を備え、前記膨張水排出弁が開弁することにより前記タンク内で生じる膨張水を排出する膨張水排水管と、前記膨張水排出弁の下流側に設けられ、前記膨張水排水管内の水圧が所定値以上で最大量開弁し、前記水圧が小さくなるにつれて弁開度が小さくなる弁部と、を備えることを特徴とする。
【０００７】
この発明によれば、弁部により膨張水排水管内で膨張水が一定量貯えられることで、膨張水を自然放熱により低温化でき、高温の膨張水が排水口やトラップに排出されることを抑制できる。また、膨張水の配管内の水圧が所定値以上となったときに最大量開弁して速やかに排水する。このため、簡易な構成で、膨張水を冷却することができる。
【０００８】
本発明に係る貯湯式温水器は、電磁弁を有し、前記タンク内に生じるエアを抜くエア抜き管を備え、前記エア抜き管は、前記電磁弁よりも下流側において前記弁部の上流側の前記膨張水排水管に接続されていてもよい。
【０００９】
貯湯式温水器は、タンク内での水の沸き上げ中もしくは保温中にタンク内に溜まったエアを定期的に排出する場合がある。このとき、エア抜き管の電磁弁の開放時間を短く設定しても、エア抜き管内に溜まった水が断続的に排出され続けることがあり、使用者に漏水と誤解されることがあった。しかしこの発明によれば、エア抜き管においても弁部により水圧が所定値以下の時は閉弁されるので、電磁弁の閉弁後エア抜き管内に溜まった水は弁部で止められ、排水口から断続的に配管残水が流れ続けることを防ぐことができる。
【００１０】
本発明に係る貯湯式温水器において、前記弁部は、上流側の前記膨張水排水管内の水圧が所定値以下の時に閉弁して止水してもよい。
【００１１】
この発明によれば、上流側の膨張水排水管内の水圧が所定値以下の時に弁部を閉弁して止水するので、膨張水を貯えて冷却する効果とエア抜き管からの残水が排水口から断続的に流れ続けることを防ぐ効果をより高めることができる。
【００１２】
本発明に係る貯湯式温水器において、前記弁部は、前記膨張水が排出される排水口に設けられていてもよい。
【００１３】
この発明によれば、弁部を膨張水排水管の下流端部に設けることができるため、排水口の水切れ効果を高めることができる。また、管内で膨張水を自然冷却できる領域を長く確保できるため、膨張水の冷却効果を高めることができる。
【発明の効果】
【００１４】
本発明に係る貯湯式温水器によれば、排水管やトラップに排出される膨張水の高温化を抑えることができる貯湯式温水器を提供できる。
【図面の簡単な説明】
【００１５】
【図１】本発明の一実施形態に係る貯湯式温水器の斜視図である。
【図２】本発明の一実施形態に係る貯湯式温水器の内部構成を示す図である。
【図３】本発明の一実施形態の排水口を示す部分断面図である。
【図４】本発明の一実施形態の弁部の斜視図である。
【図５】本発明の一実施形態の弁部の断面図である。
【発明を実施するための形態】
【００１６】
本発明の一実施形態に係る貯湯式温水器について説明する。図１は、本実施形態に係る貯湯式温水器１の斜視図である。本実施形態に係る貯湯式温水器１は、シンク１００の上方の壁面に固定して使用される。
【００１７】
図２は、貯湯式温水器１の内部構成を示す図である。図２に示すように、本実施形態に係る貯湯式温水器１は、給水管２と、タンク３と、給湯管４と、湯入替管（エア抜き管）６と、膨張水排水管（水抜管）８と、混合水栓５と、排水口９と、電源コード１０とを備え、これらが基台（不図示）に固定されている。貯湯式温水器１は、シンク１００上に設けられた混合水栓５及び排水口９に配管を介して接続されている。混合水栓５及び排水口９はシンク１００の上方の壁面に並んで設置され、一つの水槽であるシンク１００内に対してそれぞれ水が吐出されるように構成されている。
【００１８】
給水管２は上流端が給水栓２０と接続され、下流端がタンク３と接続されている。給水管２には、上流から下流に向かって順に、フィルタ２１、逆止弁２２、減圧弁２３、サーミスタ２４、及びフローセンサ２５が設けられている。
【００１９】
フィルタ２１、逆止弁２２、減圧弁２３、サーミスタ２４、及びフローセンサ２５は公知の部材である。フィルタ２１を通過した水が逆止弁２２を通過し、減圧弁２３により減圧されてタンク３に流入する。このとき、サーミスタ２４で給水管２の温度が検知され、給水管２の流水量がフローセンサ２５で検知される。
【００２０】
タンク３は、下端部に給水口が形成されており、給水口に給水管２の下流端が連結されている。タンク３の内部には、加熱部３１と、２つのサーミスタ３２，３３とを備える。加熱部３１は電熱線でありタンク３内の水を加熱する。タンク３内は満水状態に保持された密閉タンクである。タンク３内では下部の水温が低く、加熱部３１近傍から上部までは水温が高い。タンク３内の上下に設けられた２つのサーミスタ３２，３３によりタンク３内の上部及び下部の水温を検知し、不図示の制御部により加熱部３１の通電量が制御される。
【００２１】
給湯管４は、タンク３の上端中央部に接続されている。給湯管４は、タンク３の上面からタンク３に沿って径方向に延びた後、曲折し下方に延びて形成されている。給湯管４の下流端は、シンク１００の上方に設けられた混合水栓５と接続されている。混合水栓５には、給水管２から分岐した分岐給水管２６も接続されている。
【００２２】
図２に示すように、エア抜き管６の上流端はタンク３の上部と接続され、下流端は排水口９と接続されている。エア抜き管６は、給湯時の気泡混入による吐水の乱れを防ぐために、タンク３内の加熱により生じたエアを脱気する管路であり、湯入替管６と同じ管で構成されている。エア抜き管６の上流端は、タンク３内の湯よりも上に溜まったエアを抜くため、給湯管４の上流端よりもタンク３内の高い位置に開口している。エア抜き管・湯入替管６の上流端から下流端までの間には、公知の逆止弁６１と、電磁弁７０と、サーミスタ７１とを備える。給水管２のサーミスタ２４とフローセンサ２５との間の位置に給水管２の分岐部が設けられて、分岐された分岐給水管２９は、エア抜き管・湯入替管６の逆止弁６１と電磁弁７０との間に接続されている。エア抜き管６は電磁弁７０よりも下流側で膨張水排水管８と接続され、膨張水排水管８との合流部よりも下流側に弁部９０が設けられる。
【００２３】
湯入替管６は、タンク３内への給水を行いつつタンク３内の湯を排出してタンク３内の湯水を入れ替える際に、タンク３内の湯を排出するための管路である。湯入替管６は、エア抜き管６と同じ管で構成されている。
【００２４】
膨張水排水管８は、密閉されたタンク３内が所定温度よりも高温になった時にタンク３内で生じた膨張水を外部に排出する管路である。膨張水排水管８は、タンク３の下方において給水管２から分岐し、排水口９まで延設されている。膨張水排水管８は、給水管２からの分岐部と排水口９との間に逃し弁８０を備える。逃し弁８０は、タンク３内で生じた膨張水によりタンク側の内圧が高くなると開弁し、膨張水を排水口９に排出する弁である。膨張水排水管８は湯入替管６のサーミスタ７１よりも下流側においてエア抜き管・湯入替管６と接続され、エア抜き管・湯入替管６の排水口９を共用している。膨張水排水管８は水抜管８と同じ管で構成されており、水抜管８はタンク３の下方に設けられ、タンク３への給水が行われない状態でタンク３内の湯水を排出する管である。逃し弁８０を含め、水抜管８は、タンク３の下方に配設されているので、逃し弁８０が開弁されると、タンク３内に貯められた水が流出して排水口９から排水されるように構成されている。したがって、給水栓２０を閉じた状態で逃し弁８０を強制的に開弁させれば、タンク３内の水を全て抜くことができる。なお、タンク３の下方とは、タンク３の底面よりも低い位置を指し、タンク３の直下の領域の他、貯湯式温水器のケーシング１２,１３内におけるタンク３よりも低い位置も含む。
【００２５】
本実施形態では、膨張水排水管・水抜管８がエア抜き管・湯入替管６と接続されて、一つの排水口９を共用している。したがって、貯湯式温水器１の基台１１の底面には、エア抜き管と湯入替管と膨張水排水管と水抜管８とを兼ねる管、給水管２、及び給湯管４の３つの管のみが設けられている。
【００２６】
図３に排水口９の部分断面図を示す。排水口９は、膨張水排水管・水抜管８及びエア抜き管・湯入替管６の下流部が合流して接続されている。排水口９は、タンク３が高温時に発生する膨張水及びエアの他、湯入替時の湯、及び水抜き処理時のタンク３内の水を排水するために設けられている。
【００２７】
排水口９は、ワン座９７と、弁部９０と、パイプ部９１と、吐出口９２と、を備える。ワン座９７は、排水口９が取付けられる壁面と排水口９との固定部分を隠すための部材である。パイプ部９１はワン座９７から下流側に延びて設けられる管部材であり、先端に吐出口９２を備える。ワン座９７に挿通されるパイプ部９１の端部９１１内の連通路内に弁部９０が配設されている。
【００２８】
図４に弁部９０の斜視図を示す。図５に弁部９０の断面図を示す。図３から図５に示すように、弁部９０は、外筒９３と、押さえ環９５と、弁本体９８とを備える逆止弁である。弁部９０は、軸方向Ｃに沿って排水時の下流側（パイプ部９１側）に押さえ環９５が配置され、上流側に外筒９３が配置される。
【００２９】
外筒９３は、略円筒状の部材であり、軸方向Ｃに沿って貫通する挿通孔９３１が形成されている。挿通孔９３１は、挿通孔９３１の軸方向Ｃの下流側に形成された大径部９３１ａと、上流側の端部に形成された小径部９３１ｂを有する。大径部９３１ａと小径部９３１ｂとの間には挿通孔９３１の開口径が、小径部９３１ｂから大径部９３１ａに向かって拡開するテーパー部９３１ｃが形成されている。
【００３０】
弁部９０の外筒９３の外周面には全周にわたって溝部９３２が形成されており、溝部９３２には外側Ｏリング９６１が嵌め込まれている。図３に示すように、弁部９０がパイプ部９１の端部９１１内に挿通された状態で、外側Ｏリング９６１がパイプ部９１の端部９１１内に圧着される。
【００３１】
弁本体９８は、円盤状の弁体９８１と、弁体９８１に固定され軸方向Ｃに沿って延びる軸部９８２とを有し、挿通孔９３１内に収容されている。弁体９８１は小径部９３１ｂよりわずかに小さい直径を有し、小径部９３１ｂ内に配置されている。軸部９８２は、挿通孔９３１の中央部に軸方向Ｃに沿って延設されている。弁体９８１と軸部９８２との間には円盤状の係止板９８３を備える。弁体９８１と係止板９８３との間は軸方向Ｃに離間して配置されることにより周方向に溝部９８４が形成されており、溝部９８４に内側Ｏリング９６０が嵌め込まれている。
図４に示すように弁本体９８１の上流側の端面には中央部が下流側に向かって円錐状に窪む凹部９８１ａが形成されている。
【００３２】
押さえ環９５は、外形が略円柱形状の部材であり、挿通孔９３１に一部が挿通されて外筒９３に嵌合されている。押さえ環９５の中央部には貫通孔９５１が形成されており、弁本体９８の軸部９８２の一部が挿通されている。貫通孔９５１の外側は軸方向Ｃに貫通する通水路９５３が形成されている。
【００３３】
軸部９８２にはコイルバネ９９１が外挿されている。コイルバネ９９１の一端部は係止板９８３の下流側の端面に当接し、他端部は押さえ環９５の上流側の端面に当接している。軸部９８２は貫通孔９５１内を軸方向Ｃに摺動可能であり、弁本体９８は、コイルバネ９９１により上流側（小径部９３１ｂ側）に付勢されている。弁本体９８がコイルバネ９９１により付勢された状態で、内側Ｏリング９６０はテーパー部９３１ｃに圧接されており、挿通孔９３１が塞がれている。弁体９８１に上流側から圧力が掛かるとコイルバネ９９１が圧縮されて弁体９８１と挿通孔９３１との間に隙間が生じて水が流通可能となる。
【００３４】
弁体９８１への上流側からの圧力が所定値ａ以下では、コイルバネ９９１の付勢力が上回っており、内側Ｏリング９６０はテーパー部９３１ｃに当接しているため、止水状態となる。しかし、圧力が所定値ａを超えるとテーパー部９３１ｃと内側Ｏリング９６０との当接が解除されて弁体９８１と挿通孔９３１との間の隙間が徐々に大きくなり、弁体９８１への上流側からの圧力が所定値ｂ以上となると、挿通孔９３１と弁体９８１との隙間の大きさが最大量となり最大開弁状態となる。一方、弁体９８１への上流側からの圧力が小さくなるにつれてコイルバネ９９１の付勢力により弁体９８１が上流側へ戻され、弁開度が次第に小さくなり、所定値ａ以下になると内側Ｏリング９６０がテーパー部９３１ｃに当接する。
【００３５】
なお、弁本体９８１には凹部９８１ａが形成されているので、弁本体９８１への水圧が弁本体９８１に対して均一に負荷されず、凹部９８１ａの底部となる軸部９８２の中央部への圧力を大きくすることができる。したがって、水圧が弁本体９８１に負荷された場合に、軸部９８２へ効率良く力が掛かり、円滑な開弁動作が実現できる。
【００３６】
貯湯式温水器１は、さらに、不図示の制御部及び制御部と接続された操作パネル１６を備える。操作パネル１６には表示部１７と複数の操作ボタン１８とを備える。表示部１７は、貯湯式温水器１の運転状況や水温等の他、操作情報が表示可能に構成されている。操作ボタン１８は、貯湯式温水器１の電源を入れる操作や給湯の設定等各種の入力操作を行う際に使用される。
【００３７】
貯湯式温水器１は、基台１１の背面側が壁面に取り付けられて固定される。基台１１の上部は上カバー１２で覆われ、底面よりも下側は下カバー１３で覆われる。上カバー１２及び下カバー１３は前面と両側面を構成する三面からなる断面Ｕ字形状の部材である。
【００３８】
次に、貯湯式温水器１の動作について説明する。タンク３内には給水管２からフィルタ２１を透過してゴミが除去された水で満たされている。タンク３内の水は加熱部３１が通電されることにより加熱され、タンク３内の上部の水が相対的に高温となる。タンク３の上部及び下部に設けられたサーミスタ３２，３３でタンク３内の水温を検知し、給湯が可能な状態が保たれるように制御部により加熱部３１の通電状態を制御する。
【００３９】
混合水栓５が開栓されると、タンク３上部から給湯管４に湯が流通する。混合水栓５には、給水管２から分岐した分岐給水管２６が接続されているので、給水管２から給水の一部が分流し、湯と水とが合流して混合水栓５から温水が流出する。給湯管４内を湯が流通する量に応じて、給水管２からタンク３内に水が供給される。混合水栓５が再び閉栓されると給湯管４内の湯の流通が停止し、給水管２からタンク３への水の流入も停止する。
【００４０】
タンク３内の水を加熱する際、密閉されたタンク３内が所定温度よりも高温になった時に、タンク３の上部に気泡（エア）が発生する。タンク３の上部にエアが溜まった状態で水栓の蛇口を開くと、吐水中にエアが混入することで整流性が損なわれ、吐水が乱れる懸念がある。このような吐水の乱れを防ぐために、エア抜きが行われる。具体的には、タンク３上部に設けられたサーミスタ３３が所定値以上の温度を検知したとき、制御部においてタンク３内の溶存空気が気化し始めたと判定され、電磁弁７０を開弁する制御が行われる。電磁弁７０は１回につき約１秒間の開弁を定期的に行い、電磁弁７０が開弁することにより、タンク３内のエアが水とともにタンク３に連通しているエア抜き管６に設けられた逆止弁６１を通過してエア抜き管６の下流端に設けられた排水口９から排出される。
【００４１】
膨張水は、タンク３内の水を加熱する際にタンク３内の水が体積膨張することで発生する。膨張水は、逃し弁８０の設定圧力を超えた体積分が随時排水口９から排出される。膨張水排水管８は給水管２から分岐しているため、排水口９から排出される膨張水の温度は高くなりにくい。しかし、加熱されたタンク内の湯が膨張水排出により給水側に下がってくることで、膨張水温が徐々に上がってくる場合がある。そこで、サーミスタ３２，３３によりタンク３内の温度を検知して、所定温度（例えば、８４度）以上となったときに、制御部は電磁弁７０を開弁する頻度を上げる制御を行う。電磁弁７０を開弁することで分岐給水管２９からの水が排出されるため、膨張水排水管８の下流側を冷却することができる。また、タンク３内にも給水されるため、タンク３内の湯が給水側に下がってきているのを押し上げて膨張水の排出温度を下げることができる。タンク３内が所定温度に達するまではエア抜きのために電磁弁７０をある頻度で開弁しているが、所定温度以上になってからは膨張水排水管８の冷却をする目的が加わるため、電磁弁７０の開弁頻度を上げる制御を行う。
【００４２】
貯湯式温水器１では、電磁弁７０の開弁頻度を上げる制御のほかにも膨張水の温度を下げるための構造として、膨張水を排出する排水口９に弁部９０を備えた。上述の通り、弁部９０は逆止弁であり、弁部９０に所定の水圧となる量の膨張水が供給されるまで開放されることなく、弁部９０より上流側に一定時間蓄えられる。その結果、高温の膨張水が配管内で自然放熱され、水温を低化させることができる。膨張水が蓄積されて水圧が所定値ａ以上となると弁部９０が微小開弁して排水口９の吐出口９２から水温が低下した膨張水が少しずつ吐出される。また、弁部９０を備えた排水口９には、エア抜き管６も接続されている。エア抜き管６では、電磁弁７０が１回につき約１秒間の開弁を定期的に行うことで、タンク３内のエアを水とともに排水口９から排出している。このとき、電磁弁７０が開弁している間は弁部９０に対して所定値ａを超える水圧がかかるため弁部９０が開弁し、排水口９から排水される。一方、電磁弁７０が閉弁した後に電磁弁７０の下流側に残った水が弁部９０に流れても水圧は所定値ａ以下であるため、弁部９０は開弁しない。したがって、弁部９０によって、エア抜き管６内に溜まった残水が排水口９から垂れ続けることを抑制することができる。
【００４３】
次に、貯湯式温水器１では、湯を供給可能な状態を保つために、タンク３内に十分な量の湯を確保している。しかし、例えば、夜間や休日等、貯湯式温水器の使用頻度が低下し、タンク３内の湯が長時間消費されずに貯留される場合がある。このような場合、湯の衛生状態を保つために、混合水栓５の操作とは独立してタンク３内の湯を放出する湯入れ替え処理が行われる。
【００４４】
湯入れ替え処理は、制御部において、混合水栓５の不使用時間やフローセンサ２５により検知される流水量に基づき、所定の条件を満たしたときに行われる。湯入れ替え処理の所定の条件が満たされたときに、制御部の制御により電磁弁７０が開弁される。電磁弁７０が開弁されると湯入替管６内に湯が流通して、排水口９から排出される。このとき、エア抜きの排水時と同様に給水管２の水が分岐給水管２９を介して流通するので、湯の温度が低下して温水として排水口９から排水される。また、湯入替管６からの排水もエア抜きの排水と同様に弁部９０を流通するが、湯入替時には所定値ｂ以上の高い水圧がかかり弁部９０が最大量開弁するので、十分な排水量を確保でき、円滑に排水できる。
【００４５】
湯入れ替え処理は、フローセンサ２５により検知された給水管２の流水量が所定量となった場合、あるいはタンク３内のサーミスタ３３の検知温度が所定値以下となった場合に、制御部により電磁弁７０を閉じる処理が行われて終了する。
【００４６】
一方、貯湯式温水器１のメンテナンス時や交換時にはタンク３内の水を全て抜く水抜き処理が行われる。なお、タンク３内の空焚きを防止する為、水抜き処理時はあらかじめ電源を切ることで加熱部の動作を停止させておく必要がある。水抜き処理を行う場合、使用者は、手動により給水栓２０を閉じ、且つ逃し弁８０を操作して開弁する。水抜管８はタンク３の下方に位置するので逃し弁８０の開弁操作により自然と排水口９から排水される。このとき、水抜管８内の水圧が所定値ｂ以上になることで弁部９０が最大量開弁するので、十分な排水量を確保でき、円滑に排水できる。
【００４７】
本実施形態に係る貯湯式温水器１によれば、弁部９０により膨張水排水管８内で膨張水が一定量貯えられることで、膨張水を自然放熱により低温化でき、高温の膨張水が排水管やトラップに排出されることを抑制できる。また、配管内の水圧が所定値以上となったときには最大量開弁して速やかに排水する。このため、膨張水排水管８に、湯入替管６や水抜管８などの配管を合流させたとしても、湯入替や水抜き処理時のようにタンク３内の水を排水するときは弁部９０に高い水圧が掛かるので、速やかに排水することができる。
【００４８】
本実施形態に係る貯湯式温水器１によれば、タンク３内に生じるエアを抜くエア抜き管６を備え、エア抜き管６は電磁弁７０を有し、電磁弁７０よりも下流側において弁部９０の上流側の膨張水排水管８に合流しているので、電磁弁７０の閉弁後もエア抜きの排水は弁部９０よりも上流側の管内に溜まるが、水圧が所定値以下であれば弁部９０は閉弁されるので、排水口９から断続的に配管残水が流れ続けることを防ぐことができる。
【００４９】
本実施形態に係る貯湯式温水器１によれば、上流側の膨張水排水管８内の水圧が所定値以下の時に弁部９０を閉弁して止水するので、膨張水を貯えて冷却する効果とエア抜き管からの残水が排水口から断続的に流れ続けることを防ぐ効果をより高めることができる。
【００５０】
本実施形態に係る貯湯式温水器１によれば、弁部９０を膨張水排水管８の下流端部である排水口９に設けることができるため、膨張水排水管８の流路内で膨張水を自然冷却できる領域を長く確保できるため、膨張水の冷却効果を高めることができる。また、排水口９の水切れ効果を高めることができる。
【００５１】
以上、本発明の実施形態について図面を参照して詳述したが、具体的な構成はこの実施形態に限られるものではなく、本発明の要旨を逸脱しない範囲の設計変更等も含まれる。
また、上述の各実施形態及び各変形例において示した構成要素は適宜に組み合わせて構成することが可能である。
【００５２】
上記実施形態では、弁部９０を排水口９の固定部近傍のパイプ部９１の端部９１１内に設ける例を示したが、弁部９０を設ける位置はこれに限定されない。例えば、排水口９の吐出口９２や、排水口９よりも上流側の配管内等に設けてもよい。温水器の外側に弁部９０を設けた方が放熱効果は高いが、温水器の内側であってもよい。
【００５３】
上記実施形態では、弁部９０は逆止弁を用い、弁体９８１への水圧が所定値ａ以上となるまで閉弁する例を示したが、閉弁は必須の構成ではなく、弁の内部構造もこれに限らない。膨張水を自然冷却させる観点から、弁部９０により膨張水の排出量を制限して、弁部９０を通過して吐出口９２から排出される膨張水の排出速度よりも、弁部９０の上流側で膨張水が貯留される速度が早くなるようにして、膨張水を一定時間貯めておくことができればよい。
【００５４】
上記実施形態では、給湯水栓として、混合水栓５のみが設けられた例を示しているが、熱湯のみが吐出される熱湯水栓を別途設けてもよい。この場合、給湯管４の分岐路を設けて熱湯水栓と接続すればよい。
【００５５】
本実施形態では、膨張水排水管が水抜管と同じ管で構成され、エア抜き管及び湯入替管の両方と接続されている例を示した。しかし、膨張水排水管は、水抜管と別で設けられてもよく、エア抜き管及び湯入替管とも接続されず、膨張水排水管のみで独立していてもよい。
【００５６】
上記実施形態では、壁に固定する貯湯式温水器１の例を示したが、シンクの下方に配置可能なスペースがある場合は、床に置いて使用する貯湯式温水器としても使用できる。また、排水口９をシンク上に設けてシンクに排水する例を示したが、壁裏等の排水管やトラップに直接排出してもよい。
【符号の説明】
【００５７】
１  貯湯式温水器
２  給水管
３  タンク
４  給湯管
８  膨張水排水管
９  排水口
７０  電磁弁
８０  逃し弁（膨張水排出弁）
９０  弁部
【図１】
2018040526.tif 000003
【図２】
2018040526.tif 000004
【図３】
2018040526.tif 000005
【図４】
2018040526.tif 000006
【図５】
2018040526.tif 000007